(57)【要約】【課題】  外部表示装置としての誘導灯に対する破壊行為があった場合にはいち早く侵入異常信号を送信する。【解決手段】  警備システム１は、監視領域に設置された各種センサ２によって異常を監視する監視装置３と、監視装置３が監視した異常の発生を監視領域の外部に対して表示する誘導灯４と、監視装置３からの異常信号を受信する監視センタ５とを有する。誘導灯４には、誘導灯４が破壊されたことを検知したときに監視装置３へ破壊検知信号を出力する破壊検知部１３が設けられる。監視装置３は、誘導灯４の破壊検知部１３から破壊検知信号が入力されたときに監視領域に侵入者が侵入した旨の侵入異常信号を監視センタ５に送信する。【選択図】    図１
2006099673.tif 000002
【特許請求の範囲】
【請求項１】
監視領域に発生した異常を監視する監視装置と、前記異常の発生を前記監視領域の周囲に対して報知する外部設置の外部表示装置と、前記監視装置からの異常信号を受信する監視センタとを有する警備システムにおいて、
前記外部表示装置は、該外部表示装置が破壊されたことを検知したときに前記監視装置へ破壊検知信号を出力する破壊検知部を具備し、
前記監視装置は、前記破壊検知信号が入力されたときに前記監視領域に侵入者が侵入した旨の侵入異常信号を前記監視センタに送信することを特徴とする警備システム。
【請求項２】
前記外部表示装置は、
更に、異常の発生を発光によって前記監視領域の外部に対して表示する発光管と該発光管を制御する基板とを具備し、
前記破壊検知部は、
前記発光管と前記基板との間に立設され、両端が前記基板に接続される導体部を含み、前記発光管に加わる外力を受ける脆弱性を有する脆性部材を備え、前記発光管に前記外力が加わって前記導体部が破損したときに破壊を検知することを特徴とする請求項１記載の警備システム。
【請求項３】
破壊検知対象物と、
前記破壊検知対象物を制御する基板と、
前記破壊検知対象物と前記基板との間に立設され、両端が前記基板に接続される導体部を含み、前記破壊検知対象物に加わる外力を受ける脆弱性を有する脆性部材と、
を有することを特徴とする破壊検知装置。
【請求項４】
前記脆性部材は、前記基板と同一素材で形成されている請求項３記載の破壊検知装置。
【請求項５】
前記脆性部材は、前記破壊検知対象物に近接又は接する箇所と前記基板との間に空間を形成する形状にて前記基板に立設している請求項３又は請求項４に記載の破壊検知装置。
【請求項６】
前記脆性部材は、前記基板に対して傾斜して取り付けられ、前記基板との取り付け部分には切り欠き部が設けられ、前記破壊検知対象物を抱持するように形成された受け部を有する請求項３乃至請求項５の何れかに記載の破壊検知装置。
【発明の詳細な説明】
【技術分野】
【０００１】
本発明は、監視対象となる建物の監視領域における異常の発生を監視領域の外部に対して表示する、例えば誘導灯などの破壊を検知する警備システムおよび破壊検知装置に関するものである。
【背景技術】
【０００２】
従来、下記特許文献１に開示されるように、誘導灯は、例えば警備会社が提供するオンラインの警備システムで使用されている。この種の警備システムでは、図６に示すように、警備対象となる建物５１内に異常が発生すると、侵入者が侵入した旨を通知する侵入異常信号が監視センタ５２へ通報されるとともに、屋外に設置された対処車誘導装置としての誘導灯５３が起動される。
【０００３】
監視センタ５２では、侵入異常信号によって異常を把握すると、最寄りの対処車５４を呼出して即座に現場に直行させる。そして、対処車５４の対処員は、屋外に設置された誘導灯５３を確認することで、異常のあった建物５１を特定し、当該建物５１の点検を開始する。
【０００４】
このように、警備システムにおける誘導灯５３は、警備対象となる建物５１に異常が発生したことを周囲に報知し、付近に来た対処員が異常の発生した建物５１を特定させる役割を担っている。
【０００５】
また、誘導灯５３は、監視領域である建物５１の外部に設置されており、たとえ誘導灯５３が破壊されたとしても建物５１へ実際に侵入されている状態ではない。また、誘導灯５３が破壊されたとしても、建物５１への侵入が容易になるわけでもない。更に、電球の「球切れ」の場合など、誘導灯５３は故意の破壊行為以外の要因で破損することがある。このため、従来の警備システムでは、誘導灯５３が破壊されても、それを検知しないか、誘導灯５３が破損したことを検出したとしても、侵入異常のような緊急性の高い異常と区別し、機器の故障として侵入異常より緊急性の低い異常として扱われていた。
【特許文献１】特開昭５９−３６００号公報
【発明の開示】
【発明が解決しようとする課題】
【０００６】
近年、建物５１への侵入者は、警備システムが導入されていることを事前に知ると、建物５１での異常発生を周辺に報知するのを阻止し、対処員の到着を遅らせるために、誘導灯５３を破壊することが多くなってきた。
【０００７】
監視センタ５２では、誘導灯５３が破壊された時点では侵入異常信号が送信されないために、異常事態の発生を把握することができない。すなわち、監視センタ５２では、建物５１内部に押入る前に破壊行為が行われているにもかかわらず、侵入者が建物５１内部に実際に押入り、建物５１に設置されているセンサが感知した時点で初めて異常があったことを知ることになる。
【０００８】
また、例え、誘導灯５３の破壊行為を検出したとしても、侵入異常信号という緊急性の高い異常と異なり、緊急性の低い機器異常信号として監視センタに送信することとなり、同様の結果となっていた。
【０００９】
このように、従来の警備システムでは、誘導灯５３が破壊された場合、緊急事態の可能性があるにもかかわらず、対応が遅れるという問題があった。また、従来は、誘導灯５３が外力によって破壊されたことを、経年変化等による球切れと区別して検知できる破壊検知装置は提案されておらず、緊急性の高い破壊行為を単独で検知することができないという問題があった。
【００１０】
そこで、本発明は、上記課題を解決するため、例えば誘導灯などの外部表示部に対する破壊行為を検知できる破壊検知装置を提供するとともに、外部表示部に対する破壊行為があった場合には侵入者が侵入を企てているものとしていち早く緊急性が高い侵入異常信号を監視センタへ送信することができる警備システムを提供することを目的とする。
【課題を解決するための手段】
【００１１】
上記目的を達成するため、本発明の請求項１に記載された警備システムは、監視領域に発生した異常を監視する監視装置と、前記異常の発生を前記監視領域の周囲に対して報知する外部設置の外部表示装置と、前記監視装置からの異常信号を受信する監視センタとを有する警備システムにおいて、
前記外部表示装置は、該外部表示装置が破壊されたことを検知したときに前記監視装置へ破壊検知信号を出力する破壊検知部を具備し、
前記監視装置は、前記破壊検知信号が入力されたときに前記監視領域に侵入者が侵入した旨の侵入異常信号を前記監視センタに送信することを特徴とする。
【００１２】
請求項２に記載された警備システムは、請求項１の警備システムにおいて、
前記外部表示装置は、
更に、異常の発生を発光によって前記監視領域の外部に対して表示する発光管と該発光管を制御する基板とを具備し、
前記破壊検知部は、
前記発光管と前記基板との間に立設され、両端が前記基板に接続される導体部を含み、前記発光管に加わる外力を受ける脆弱性を有する脆性部材を備え、前記発光管に前記外力が加わって前記導体部が破損したときに破壊を検知することを特徴とする。
【００１３】
請求項３に記載された破壊検知装置は、破壊検知対象物と、
前記破壊検知対象物を制御する基板と、
前記破壊検知対象物と前記基板との間に立設され、両端が前記基板に接続される導体部を含み、前記破壊検知対象物に加わる外力を受ける脆弱性を有する脆性部材と、
を有することを特徴とする。
【００１４】
請求項４に記載された破壊検知装置は、請求項３の破壊検知装置において、
前記脆性部材は、前記基板と同一素材で形成されていることを特徴とする。
【００１５】
請求項５に記載された破壊検知装置は、請求項３又は請求項４の破壊検知装置において、
前記脆性部材は、前記破壊検知対象物に近接又は接する箇所と前記基板との間に空間を形成する形状にて前記基板に立設していることを特徴とする。
【００１６】
請求項６に記載された破壊検知装置は、請求項３乃至請求項５の何れかの破壊検知装置において、
前記脆性部材は、前記基板に対して傾斜して取り付けられ、前記基板との取り付け部分には切り欠き部が設けられ、前記破壊検知対象物を抱持するように形成された受け部を有することを特徴とする。
【発明の効果】
【００１７】
本発明の警備システムによれば、誘導灯に対する破壊行為を検知して侵入異常信号を監視センタへ送信するので、侵入者が建物内部に実際に押し入る前にいち早く異常の発生を監視センタで把握することができる。
【００１８】
破壊検知対象物と基板との間に脆弱性を有する部材を設ける構成としたので、外部から破壊検知機能があることを視認困難としつつ、破壊を検知することができ、防犯上好ましいものとなる。
また、破壊検知対象物そのものが破壊されなかったとしても、脆性部材が破損すれば、破壊行為を検知することができる。
【００１９】
脆性部材を基板と同一素材にて形成すれば、脆性部材の製造が容易となり、基板上に立設する構造を簡単に形成することができる。
【００２０】
脆性部材を、破壊検知対象物に近接又は接する箇所と基板との間に空間を形成する形状とすれば、脆性部材の脆弱性が増し、より確実に破壊行為を検知することができる。
【００２１】
脆性部材を基板に対して傾斜して取り付け、脆性部材と基板との取り付け部分に切り欠き部を設け、さらに破壊検知対象物を抱持するように形成された受け部を設ければ、破壊検知対象物が基板に対して垂直に移動せず、斜めに移動したとしても、受け部が脆性部材の傾斜方向へ撓むように案内され、切り欠き部において脆性部材が破損することとなり、破壊行為を確実に検知することができる。
【発明を実施するための最良の形態】
【００２２】
以下、本発明に係る破壊検知装置および警備システムについて図面を参照しながら説明する。図１は本発明に係る破壊検知装置を含む警備システムの概略構成図、図２は本発明に係る破壊検知装置としても機能する誘導灯の内部構成の概略断面図、図３乃至図５は本発明に係る破壊検知装置の破壊検知部の各種構成例を示す概略図である。
【００２３】
警備システム１は、各種センサ２、監視装置３、破壊検知装置の機能を有する外部表示部としての誘導灯４、監視センタ５、対処車６によって構築される。そして、各種センサ２、監視装置３、誘導灯４が監視対象となる建物７に設置されて建物全体を監視し、監視センタ５が監視装置３からの通報によって建物７の異常を監視し、対処車６が監視センタ５からの要請を受けて異常の発生した建物７に直行して異常に対処するようになっている。
【００２４】
各種センサ２は、監視対象となる建物７内部の各所に設置される。具体的に、各種センサ２は、例えば窓の開閉を監視するマグネットセンサ、赤外線を受光してその変化量から人体を検知する赤外線センサ、緊急事態が起こったときに利用者が押下する非常ボタンなどで構成される。これら各種センサ２は、建物７内部の監視装置３と接続され、それぞれの検知信号が監視装置３に入力される。
【００２５】
図１に示すように、監視装置３は、センサ入力部３ａ、モード設定部３ｂ、制御部３ｃ、警報部３ｄ、通信部３ｅを備えて概略構成される。
【００２６】
センサ入力部３ａは、建物７内部に設置される各種センサ２からの検知信号が入力される。また、センサ入力部３ａには、誘導灯４に設けられた後述する破壊検知部１３からの破壊検知信号も入力される。
【００２７】
モード設定部３ｂは、監視モードと、解除モードとを利用者が適宜切り替えるものである。なお、監視モードは、建物７内が無人状態のときに設定され、センサ入力部３ａに入力される信号を監視するモードである。これに対し、解除モードは、建物７内が有人状態であるときに設定され、監視状態を解除するモードである。このモード設定部３ｂによるモードの切り替えは、例えばカードリーダーが読み取ったカード内の認証情報、テンキー入力による暗証番号などの認証に基づいて行われる。
【００２８】
制御部３ｃは、モード設定部３ｂによって設定されたモードに応じて各部を統轄制御している。制御部３ｃは、監視モード中に、センサ入力部３ａを介して入力される各種センサ２からの検知信号に基づいて監視対象となる建物７に異常が発生したか否かを判別し、建物７の異常を判別したときに、監視領域に侵入者が侵入した旨の侵入異常信号を監視センタ５に通知するべく通信部３ｅを制御している。また、同時に、異常を示す報知を行うべく警報部３ｄを制御するともに、誘導灯４の後述する発光管１１を発光するべく出力制御部１２を制御している。
【００２９】
また、制御部３ｃは、モード設定部３ｂのモード状態に関係なく、誘導灯４の後述する破壊検知部１３から破壊検知信号がセンサ入力部３ａを介して入力されたときに、監視領域に侵入者が侵入した旨の侵入異常信号を監視センタ５に通知するべく通信部３ｅを制御している。
【００３０】
なお、モード設定部３ｂが監視モードの場合のみ、誘導灯４からの破壊検知信号がセンサ入力部３ａを介して入力されると、監視領域に侵入者が侵入した旨の侵入異常信号を監視センタ５に通知するべく通信部３ｅを制御する構成としてもよい。また、制御部３ｃは、誘導灯４から破壊検知信号がセンサ入力部３ａを介して入力されたときに、後述する発光管１１への駆動電源の供給を停止するべく出力制御部１２を制御すれば、誘導灯４への無駄な消費電力を抑えることもできる。
【００３１】
警報部３ｄは、例えばブザー等で構成され、制御部３ｃの制御により鳴動して異常が発生したことを報知している。
【００３２】
通信部３ｅは、制御部３ｃの制御により異常が発生したことを電話回線等を通じて監視センタ５へ通信するべく侵入異常信号を送信している。
【００３３】
図１に示すように、外部表示部としての誘導灯４は、発光管１１、出力制御部１２、破壊検知部１３を備えている。誘導灯４は、監視対象となる建物７の外部、具体的には建物７の出入口付近の外壁など、建物７の外から見て目立つ場所に設置される。
【００３４】
図２に示すように、破壊検知対象物としての発光管１１は、基部をなすベース部材１４と、光透過性を有するカバー１５とからなる誘導灯４の本体をなす筐体１６内に収納して設けられる。具体的に、発光管１１は、棒状をなして軸線方向（図２の紙面と直交する方向）の両端に端子１１ａを備えている。そして、発光管１１は、ベース部材１４上の基板１７から所定高さ浮いた状態の位置で両端の端子１１ａが例えば金属線の導線からなる支持体１８を介して半田付けなどにより基板１７に固定して配線接続される。
【００３５】
なお、基板１７は、ベース部材１４に固定されており、例えばベークライト、布フェノール、紙エポキシ樹脂、ガラスエポキシ樹脂などで構成され、発光管１１を発光させるための出力制御部１２を含めて各種回路部品が実装されている。
【００３６】
発光管１１は、気体中放電を利用した瞬間閃光光源で構成することができ、例えばキセノン・ネオン・アルゴン・クリプトン等の希ガス入り発光管からなる。この発光管１１は、制御部３ｃから出力制御部１２を介して駆動電源が供給され、制御部３ｃを介して出力制御部１２の制御により、異常発生時に点灯や点滅による発光動作を行う。
【００３７】
出力制御部１２は、制御部３ｃの制御によって発光管１１に駆動電源を供給するとともに、異常発生時に点灯や点滅により異常の発生を監視領域の外部に知らせるべく発光管１１を発光駆動している。
【００３８】
このように、異常発生時には、発光管１１が発光して点灯や点滅を行い、外部に異常を報知することにより、対処車６の対処員が異常の発生した建物７をすぐに特定することができるようになっている。
【００３９】
破壊検知部１３は、誘導灯４が破壊されたことを検知したときに、監視装置３のセンサ入力部３ａに破壊検知信号を出力している。すなわち、本例の誘導灯４は、外部からの破壊行為を検知する破壊検知装置としても機能する。
【００４０】
以下、誘導灯４が破壊検知装置として機能するために装備する破壊検知部１３の具体的な構造について図２乃至図５を用いて詳述する。
【００４１】
図２の破壊検知部１３は、基板１７と同材質の脆弱性を有する薄板状に形成され、２本の橋脚部２１の間に１本の橋桁部２２が一体形成されたコ字状の脆性部材２３から構成される。この脆性部材２３は、２本の橋脚部２１の端部が基板１７に固定される。脆性部材２３は、発光管１１の駆動時の熱の影響を直接受けないように、発光管１１の直下に近接した状態で所定距離離れて基板１７上に立設される。また、脆性部材２３には、導体部としての１本の導体パターン２４が例えば印刷により形成されている。そして、脆性部材２３を基板１７と同材質にすることにより、基板１７の加工工程時に導体パターン２４を含めて同時に製造できるので、安価に構成できるとともに、脆性部材２３の製造工程の簡略化も図れる。また、脆性部材２３を基板１７上に立設した構造を容易に形成することができる。
【００４２】
図２において、導体パターン２４は、橋脚部２１および橋桁部２２の各表面のほぼ中央部分に位置し、橋脚部２１および橋桁部２２の幅より狭い幅で脆性部材２３の形状（コ字状）に沿って形成されている。そして、この導体パターン２４は、両端が基板１７上の配線パターンを介してセンサ入力部３ａに配線接続される。なお、導体パターン２４は、外部からの破壊行為によって誘導灯４が破壊されたときに破損する形状であれば良く、例えば図２において橋脚部２１と橋桁部２２の全面や縁寄りに導体パターン２４を形成することもできる。
【００４３】
また、導体パターン２４は、脆性部材２３の表裏両面に形成することもできるが、発光管１１の反対側の一方の面のみに形成すれば、発光管１１の発光時の発熱による焼きつきで導体パターン２４が破損するのを防止することができる。
【００４４】
上記構成による破壊検知部１３は、脆性部材２３の導体パターン２４の両端がセンサ入力部３ａに接続され、この導体パターン２４に対して制御部３ｃから所定の電力が供給される。なお、モードに関係なく誘導灯４の破壊検知を行う場合、導体パターン２４に対して常時電力が供給される。これに対し、監視モード時のみ誘導灯４の破壊検知を行う場合には、監視モード中のみ導体パターン２４に対して電力が供給される。これにより、誘導灯４の破壊検知時に、外部からハンマー等でカバー１５を通して発光管１１を破壊しようとすると、この発光管１１の破壊に伴って発光管１１が基板１７方向へ移動するので、この発光管１１の移動によって脆性部材２３に対しても力が加わり、脆性部材２３の導体パターン２４が破損（破断を含む）する。そして、脆性部材２３の導体パターン２４が破損すると、センサ入力部３ａを介して導体パターン２４に供給される電力（電流、電圧を含む）が変化し、このときの電力が破壊検知信号としてセンサ入力部３ａを介して制御部３ｃに入力される。制御部３ｃでは、センサ入力部３ａから入力される破壊検知信号の電力と予め設定された基準電力とを比較し、破壊検知信号の電力が基準電力より小さいときに異常有りと判定する。また、電力を供給したときの導体パターン２４における抵抗値の変化から異常を判定してもよい。以上により、例えば、発光管１１への電力の通電状態を監視して判定するような球切れの異常と発光管１１に対する破壊行為の異常とを区別して監視センタ５へ異常を送信することができる。
【００４５】
このように、上述した図２の破壊検知部１３では、脆性部材２３に橋状の形態を採用している。この場合、橋桁部２２上面の中央部が発光管１１の直下に近接するように配置され、さらに橋脚部２１の一端は基板１７上に固定されている。脆性部材２３を橋状とすると、橋桁部２２と基板１７との間に空間２５が形成されることとなる。これにより、図２における上方向からの力に対する脆性部材２３の脆弱性が増す。従って、発光管１１に対して圧力が加わり、基板１７方向へ移動したときの力によって脆性部材２３が確実に破損する。これにより、発光管１１が破壊されたときに、脆性部材２３が破損しないようなことが無く、確実に誘導灯４の破壊を検知することができる。
【００４６】
なお、脆性部材２３は、図２に示す橋状の形態に限定されるものではない。すなわち、脆性部材２３は、脆性部材２３から見て発光管１１の反対側から発光管１１に外力が加わって発光管１１が移動したときに、脆性部材２３が破損しやすいように基板１７との間に空間２５を有する構成であれば良い。例えば導体パターン２４を有する略Ｕ字状の脆性部材２３を発光管１１の直下に近接して配置し基板１７に固定して用いることもできる。
【００４７】
次に、図３（ａ）の破壊検知部１３は、図２の破壊検知部１３における脆性部材２３の橋脚部２１を１本で構成したものである。この構成において、脆性部材２３は、橋桁部２２の橋脚部２１の無い先端が発光管１１の直下に近接して所定距離離れて位置し、基板１７に固定して設けられる。また、導体パターン２４は、橋脚部２１から橋桁部２２にわたってコ字状に形成されており、両端が基板１７上の配線パターンを介してセンサ入力部３ａに配線接続される。これにより、発光管１１が破壊されて基板１７方向へ移動したときの力が脆性部材２３に伝達されやすくなり、発光管１１の破壊に伴って脆性部材２３の導体パターン２４が破損し、確実に誘導灯４の破壊を検知することができる。
【００４８】
なお、図３（ａ）の構成では、橋脚部２１と橋桁部２２との接続部分の角度θが９０°となっているが、この角度θを鋭角にすれば、橋脚部２１と橋桁部２２の結合部分の脆弱性が増し、確実に異常を検知することができる。
【００４９】
次に、図３（ｂ）の破壊検知部１３は、導電性を有する２つの支持体３１と、導体部としての例えば銅線等の導電性を有する金属細線３２とによって脆性部材２３を構成している。この破壊検知部１３は、２つの支持体３１が所定間隔をおいて垂直又は斜めに立設して一端が基板１７に固定され、他端同士が金属細線３２で接続されている。この構成の場合においても、発光管１１が破壊されて基板１７方向へ移動したときの力が脆性部材２３に伝達され、発光管１１の破壊に伴って脆性部材２３の金属細線３２が破損し、確実に誘導灯４の破壊を検知することができる。
【００５０】
次に、図３（ｃ）の破壊検知部１３は、図２の構成において、橋桁部２２の発光管１１と対向する位置に発光管１１を抱持する受け部３３が設けられたものである。図３（ｃ）の例では、円柱棒状の発光管１１の中央に位置して発光管１１を抱持するようにＶ字状の受け部３３が橋桁部２２に設けられている。そして、この受け部３３の傾斜面３３ａによって発光管１１を受け止める構成となっている。この構成によれば、発光管１１が破壊行為により押圧された際、発光管１１が基板１７に対して垂直方向に移動せず、斜めに移動したとしても、受け部３３が発光管１１の移動を傾斜面３３ａで受け止め、この傾斜面３３ａがガイドの役目を果たすので、破壊行為の検知を更に確実なものとすることができる。
【００５１】
図４、図５を用いて、本発明の好適な一実施例を示す。図４は破壊検知部１３となる基板１７と脆性部材２３との取付構造の具体例を示している。この破壊検知部１３は、図３（ｃ）の受け部３３を有する橋状の脆性部材２３で構成され、２つの橋脚部２１が円柱棒状の発光管１１を挟むように発光管１１の中心軸線と直交する発光管１１の両側に位置し、かつ橋桁部２２中央の受け部３３が発光管１１を抱持するように位置して、全体が基板１７の水平な取付面１７ａに対して所定角度傾斜した傾斜部となって橋脚部２１が基板１７に固定されたものである。さらに、図５に示されるように橋脚部２１の基板１７側の端部付近には切り欠き部２６が設けられている。この構成によれば、破壊行為により発光管１１が基板１７に対して斜めに移動した場合（図５中右下方向又は左下方向）、受け部３３の傾斜面３３ａが発光管１１の移動を受け止める。そして、取付面１７ａに対し所定方向に傾斜して固定された脆性部材２３は、受け部３３の傾斜面３３ａに加わる力により、当該傾斜面３３ａに案内されて所定方向に撓む。この脆性部材２３の撓みにより、橋脚部２１は切り欠き２６にて破損することとなる。したがって、脆性部材２３を基板１７の取付面１７ａに対して垂直に固定した場合と比較して、脆性部材２３の脆弱性が更に増し、発光管１１が破壊されて脆性部材２３が破損しないことがなく、確実に誘導灯４の破壊を検知することができる。
【００５２】
図５は破壊検知部１３における脆性部材２３の形状を示している。図５では、図３（ｃ）の構成による薄板状の脆性部材２３において、両側の橋脚部２１の先端部分に導電性を有する凸状の取付部３４を設け、この凸状の取付部３４を基板１７の対応する取付孔１７ｂに嵌合して半田付けし、脆性部材２３を基板１７に固定したものである。この取付構造によれば、基板１７上に脆性部材２３を容易に設置することが可能となる。また、橋脚部２１には前述の切り欠き部２６が設けられている。
【００５３】
ところで、上述した形態では、薄板状の脆性部材２３に１本の線状による導体パターン２４として形成したもの、支持体３１に支持された１本の金属細線３２として形成したものを導体部として採用しているが、この構成に限定されるものではない。また、脆性部材２３の基板１７に対する取付形態も図４の構成に限定されるものではない。図４の例では、脆性部材２３全体が傾斜部をなして基板１７の取付面１７ａに対して所定角度傾斜して取り付けられた構成であるが、脆性部材２３の一部分、例えば基板１７寄りの一部分や発光管１１寄りの一部分に傾斜部を有して取り付ける構成とすることもできる。すなわち、脆性部材２３は、誘導灯４の破壊行為時に導体部（導体パターン２４、金属細線３２）が脆性部材２３と一緒に破損する構成であればどのような形態でも良く、図示のものに限定されない。また、破壊検知対象物として発光管を例として説明したが、これに限定されるものではない。また、発光管１１と脆性部材２３とは所定距離離れて設けられている構成を例として挙げたが、接するように構成してもよい。
【００５４】
次に、上記のように構成される破壊検知装置としての誘導灯４を含む警備システム１において、破壊行為が行われたときの動作について以下に説明する。
【００５５】
侵入者が誘導灯４を破壊しようとする場合、誘導灯４内部の発光管１１を狙ってハンマーやバール等の道具を使ってカバー１５に対して打撃を加える。この打撃により発光管１１が基板１７の方向へ移動し、この発光管１１の移動により脆性部材２３に対して力が加わる。脆性部材２３は、発光管１１の移動に伴う加圧力にある程度耐えるが、やがてこの加圧力に対して耐え切れなくなり、導体部としての導体パターン２４や金属細線３２が破損（破断）する。制御部３ｃでは、脆性部材２３における導体部（導体パターン２４や金属細線３２）の導通状態をセンサ入力部３ａを介して監視することによって導体部の破損を判断している。そして、導体部が破損して導通状態が変化する（導体パターン２４や金属細線３２が破断したときは導通状態でなくなる）と、警報部３ｄを駆動させるとともに、通信部３ｅによって、監視センタ５へ侵入異常信号を送出する。
【００５６】
図４、図５にて示した例においては、破壊行為による発光管１１の移動方向（脆性部材２３に対する加圧力の方向）が、基板１７に対して垂直となる方向である場合、上述のように脆性部材２３が加圧力に耐え切れず導体部としての導体パターン２４が破損することとなる。
【００５７】
また、図４、図５にて示した例において、破壊行為による発光管１１の移動方向が、基板１７に対して斜めである場合（図５中右下方向又は左下方向）、受け部３３の傾斜面３３ａが発光管１１の移動を受け止める。そして、取付面１７ａに対し所定方向に傾斜して固定された脆性部材２３は、受け部３３の傾斜面３３ａに加わる力により、当該傾斜面３３ａに案内されて所定方向に撓む。この脆性部材２３の撓みにより、橋脚部２１は切り欠き部２６にて破損することとなる。
【００５８】
以上の構成により、本例の破壊検知装置（誘導灯４）を含む警備システム１を採用すれば、誘導灯４が破壊された時点で監視装置３が侵入異常信号として監視センタ５へ異常を通知するので、いち早く異常を監視センタ５で把握することが可能となる。
【００５９】
そして、本例の破壊検知部１３は、透光性を有するカバー１５の外から見て、発光管１１の奥側（基板１７側）に配置されるので、外観上、すなわちカバー１５を通して外部から壊検知機能の識別が困難となる。
【００６０】
また、本例の破壊検知部１３では、破壊行為により発光管１１に対して外部から圧力が加わった場合、発光管１１の移動によって確実に破壊検知部１３の脆性部材２３および導体部（導体パターン２４、金属細線３２）に力が伝達されるので、発光管１１の破壊と同時あるいはそれ以前に破壊行為を検知することができる。つまり、破壊行為により発光管１１が発光不能にならなかった場合でも、脆性部材２３が破損していれば破壊行為を検知することができる。そして、脆性部材２３の少なくとも一部に傾斜部を有して基板１７に固定する構成とすれば、発光管１１が破壊されたときに発光管１１の移動に伴って加えられる力によってより確実に脆性部材２３および導体部を損傷させて破壊行為を検知することができる。
【００６１】
さらに、本例のいずれの破壊検知部１３の構成でも、脆性部材２３における発光管１１の反対側に空間２５が設けられるので、脆性部材２３の脆弱性が増す。これにより、破壊行為をより確実に検知することができる。
【００６２】
そして、破壊検知部１３として脆性部材２３に受け部３３を設けた図３（ｃ）の構成を採用すれば、破壊行為が行われたときに脆性部材２３に対して直線的に圧力が加わらなくても、受け部３３が発光管１１を抱持するので、発光管１１を破壊する行為があったときに、発光管１１に加えられた力を脆性部材２３に伝達して脆性部材２３の導体部を確実に破損することができる。
【図面の簡単な説明】
【００６３】
【図１】本発明に係る破壊検知装置を含む警備システムの概略構成図である。
【図２】本発明に係る破壊検知装置としても機能する誘導灯の内部構成の概略断面図である。
【図３】（ａ）〜（ｃ）  本発明に係る破壊検知装置の破壊検知部の各種構成例を示す概略図である。
【図４】本発明に係る破壊検知装置の破壊検知部の他の構成例を示す部分斜視図である。
【図５】本発明に係る破壊検知装置の破壊検知部の他の構成例を示す概略図である。
【図６】従来の警備システムの概略構成図である。
【符号の説明】
【００６４】
１  警備システム
２  センサ
３  監視装置
３ａ  センサ入力部
３ｂ  モード設定部
３ｃ  制御部
３ｄ  警報部
３ｅ  通信部
４  誘導灯（外部表示装置、破壊検知装置）
５  監視センタ
６  対処車
１１  発光管
１２  出力制御部
１３  破壊検知部
１４  ベース部材
１５  カバー
１６  筐体
１７  基板
１７ａ  取付面
１７ｂ  取付孔
１８  支持体
２１  橋脚部
２２  橋桁部
２３  脆性部材
２４  導体パターン（導体部）
２５  空間（逃げ部）
２６  切り欠き部
３１  支持体
３２  金属細線（導体部）
３３  受け部
３３ａ  傾斜面
３４  凸状部
【図１】
2006099673.tif 000003
【図２】
2006099673.tif 000004
【図３】
2006099673.tif 000005
【図４】
2006099673.tif 000006
【図５】
2006099673.tif 000007
【図６】
2006099673.tif 000008